(57)【要約】【課題】原稿搬送時に給紙ジャムが発生して読み取りが中断された原稿の読み取りを再開した場合に、既に読み取られた原稿枚数分については読み飛ばされ、残りの原稿についてのみ読み取りが行われ、オペレータの時間的なロスを軽減させることができるようにする。【解決手段】制御部は、異常が発生して原稿の情報の読み取りが中断されたとき、中断前に情報を読み取った原稿も含めて媒体セット部にセットすることを報知するように装置情報報知部に指示したのち、媒体検出部によって原稿がセットされたことが検出されると、読み取りが中断されるまでに搬送枚数計数部で計数された原稿の枚数に基づき原稿の搬送を制御し、既に情報を読み取った原稿を搬送する搬送速度を、読み取りが中断された以降の原稿を搬送する搬送速度より速くする。【選択図】図１
2006033325.tif 000002
【特許請求の範囲】
【請求項１】
（ａ）原稿をセットする媒体セット部から原稿の情報を読み取る情報読み取り部へ原稿を搬送し、原稿の情報を読み取るように制御する制御部を有する原稿読み取り装置であって、
（ｂ）装置情報を報知する装置情報報知部と、
（ｃ）前記媒体セット部に原稿をセットされたことを検出する媒体検出部と、
（ｄ）前記情報読み取り部へ搬送した原稿の枚数を計数する搬送枚数計数部とを有し、
（ｅ）前記制御部は、異常が発生して原稿の情報の読み取りが中断されたとき、中断前に情報を読み取った原稿を含めて前記媒体セット部にセットすることを報知するように前記装置情報報知部に指示したのち、前記媒体検出部によって原稿がセットされたことが検出されると、読み取りが中断されるまでに前記搬送枚数計数部で計数された原稿の枚数に基づき原稿の搬送を制御し、既に情報を読み取った原稿を搬送する搬送速度を、読み取りが中断された以降の原稿を搬送する搬送速度より速くすることを特徴とする原稿読み取り装置。
【請求項２】
（ａ）読み取るための原稿をセットする媒体セット部から原稿の情報を読み取る情報読み取り部へ搬送し、原稿の情報を読み取るように制御する制御部を有する原稿読み取り装置であって、
（ｂ）装置情報を報知する装置情報報知部と、
（ｃ）前記媒体セット部に原稿がセットされたことを検出する媒体検出部と、
（ｄ）前記情報読み取り部で情報を読み取った原稿の枚数を計数する読み取り枚数計数部とを有し、
（ｅ）前記制御部は、異常が発生して原稿の情報の読み取りが中断されたとき、中断前に情報を読み取った原稿も含めて前記媒体セット部にセットすることを報知するように前記装置情報報知部に指示し、その後、前記媒体検出部によって原稿がセットされたことが検出されると、読み取りが中断されるまでに計数された原稿の枚数に基づき、原稿の情報を読み飛ばすように制御するとともに原稿の搬送を制御し、
（ｆ）原稿の情報を読み飛ばすときの原稿の搬送速度は、原稿の情報を読み取るときの搬送速度より速いことを特徴とする原稿読み取り装置。
【請求項３】
前記原稿の搬送速度は、読み取りが中断されたページ以降、原稿の情報を読み取るときの搬送速度に戻される請求項２に記載の原稿読み取り装置。
【請求項４】
（ａ）読み取るための原稿をセットする媒体セット部から原稿の情報を読み取る情報読み取り部へ搬送し、原稿の情報を読み取るように制御する制御部を有する原稿読み取り装置であって、
（ｂ）装置情報を報知する装置情報報知部と、
（ｃ）装置設定情報を記憶する装置設定情報記憶部と、
（ｄ）前記媒体セット部に原稿がセットされたことを検出する媒体検出部と、
（ｅ）前記情報読み取り部で情報を読み取った原稿の枚数を計数する読み取り枚数計数部とを有し、
（ｆ）前記制御部は、異常が発生して原稿の情報の読み取りが中断されたとき、中断前に情報を読み取った原稿も含めて前記媒体セット部にセットすることを報知するように前記装置情報報知部に指示し、その後、前記媒体検出部によって原稿がセットされたことが検出されると、読み取りが中断されるまでに計数された原稿の枚数に基づき、原稿の情報を読み飛ばすように制御するとともに原稿の搬送を制御し、前記装置設定情報記憶部の設定に従って、原稿の情報を読み飛ばすときの原稿の搬送速度を制御する手段を備えることを特徴とする原稿読み取り装置。
【請求項５】
前記原稿の搬送速度は、読み取りが中断されたページ以降、原稿の情報を読み取るときの搬送速度に戻される請求項４に記載の原稿読み取り装置。
【請求項６】
（ａ）読み取るための原稿をセットする媒体セット部から原稿の情報を読み取る情報読み取り部へ搬送し、原稿の情報を読み取るように制御する制御部を有する原稿読み取り装置であって、
（ｂ）装置情報を報知する装置情報報知部と、
（ｃ）前記媒体セット部に原稿がセットされたことを検出する媒体検出部と、
（ｄ）前記情報読み取り部で情報を読み取った原稿の枚数を計数する読み取り枚数計数部とを有し、
（ｅ）前記制御部は、異常が発生して原稿の情報の読み取りが中断されたとき、中断前に情報を読み取った原稿も含めて前記媒体セット部にセットすることを報知するように前記装置情報報知部に指示し、その後、前記媒体検出部によって原稿がセットされたことが検出されると、読み取りが中断されるまでに計数された原稿の枚数に基づき、原稿の情報を読み飛ばすように制御するとともに原稿の搬送を制御し、読み取りが中断されたページに達すると、該ページの原稿を給紙ジャムと判断するための監視時間を、通常のページの原稿を給紙ジャムと判断するための監視時間よりも短くすることを特徴とする原稿読み取り装置。
【請求項７】
読み取りが中断されたページの原稿の給紙ジャムを検出するためのジャム監視時間は、前記ページ以外の原稿の給紙ジャムを検出するためのジャム監視時間より短い請求項６に記載の原稿読み取り装置。
【発明の詳細な説明】
【技術分野】
【０００１】
本発明は、原稿読み取り装置に関するものである。
【背景技術】
【０００２】
従来、複写機、プリンタ、ファクシミリ装置又はこれらの機能を兼ね備える複合機等の画像形成装置やスキャナ装置における原稿読み取り装置では、原稿搬送時にジャムが発生した場合、詰まった原稿を除去するとともにジャムの原因を排除した後に、媒体搬送が再開されるようになっている（例えば、特許文献１参照。）。
【特許文献１】実開平５−１８１６８号公報
【発明の開示】
【発明が解決しようとする課題】
【０００３】
しかしながら、前記従来の原稿読み取り装置においては、ジャムの原因を排除した後に媒体搬送を再開するとき、オペレータは、まだ読み取られていない原稿のみをセットしなければならないが、ジャムで中断した以降のまだ読み取られていない原稿と、既に読み取られた原稿との区別を誤りやすく、原稿の重複読み取りや読み取り漏れが発生してしまう。
【０００４】
本発明は、前記従来の原稿読み取り装置の問題点を解決して、原稿搬送時に給紙ジャムが発生して読み取りが中断された原稿の読み取りを再開した場合に、既に読み取られた原稿枚数分については読み飛ばされ、残りの原稿についてのみ読み取りが行われ、オペレータの時間的なロスを軽減させることができる原稿読み取り装置を提供することを目的とする。
【課題を解決するための手段】
【０００５】
そのために、本発明の原稿読み取り装置においては、原稿をセットする媒体セット部から原稿の情報を読み取る情報読み取り部へ原稿を搬送し、原稿の情報を読み取るように制御する制御部を有する原稿読み取り装置であって、装置情報を報知する装置情報報知部と、前記媒体セット部に原稿をセットされたことを検出する媒体検出部と、前記情報読み取り部へ搬送した原稿の枚数を計数する搬送枚数計数部とを有し、前記制御部は、異常が発生して原稿の情報の読み取りが中断されたとき、中断前に情報を読み取った原稿を含めて前記媒体セット部にセットすることを報知するように前記装置情報報知部に指示したのち、前記媒体検出部によって原稿がセットされたことが検出されると、読み取りが中断されるまでに前記搬送枚数計数部で計数された原稿の枚数に基づき原稿の搬送を制御し、既に情報を読み取った原稿を搬送する搬送速度を、読み取りが中断された以降の原稿を搬送する搬送速度より速くする。
【発明の効果】
【０００６】
本発明によれば、原稿読み取り装置は、情報読み取り部で読み取った原稿の枚数を計数する読み取り枚数計数部とを有し、前記制御部は、異常が発生して原稿の読み取りが中断されたとき、中断前に読み取った原稿も含めて前記媒体セット部にセットすることを報知するように前記装置情報報知部に指示し、その後、読み取りが中断されるまでに計数された前記情報読み取り部で読み取った原稿の枚数に基づき、原稿を読み飛ばすように原稿の搬送を制御し、原稿を読み飛ばすときの搬送速度は、原稿を読み取るときの搬送速度より速い。
【０００７】
この場合、原稿搬送時に給紙ジャムが発生して読み取りが中断された原稿の読み取りを再開した場合に、既に読み取られた原稿枚数分については読み飛ばされ、残りの原稿についてのみ読み取りが行われ、オペレータの時間的なロスを軽減させることができる。
【発明を実施するための最良の形態】
【０００８】
以下、本発明の実施の形態について図面を参照しながら詳細に説明する。
【０００９】
図１は本発明の第１の実施の形態における原稿読み取り装置の構成を示す図である。
【００１０】
本実施の形態における原稿読み取り装置は、自動給紙機構を備える原稿読み取り装置であれば、例えば、スキャナ装置、ファクシミリ装置、複写機等いかなる種類のものであってもよいが、ここでは、スキャナ装置、ファクシミリ装置、プリンタ及び複写機の機能を併せ持つ複合機等であるものとして説明する。
【００１１】
図において、１０は原稿読み取り装置の動作を制御する演算手段であるＣＰＵ（中央処理装置）である。そして、３０は、該ＣＰＵ１０によって実行されるソフトウェアであるプログラムをあらかじめ格納する固定記憶装置としてのＲＯＭであり、後述される読み取り装置部５１の制御を行う読み取り制御部３１、及び、後述される操作パネル制御部１００の制御を行う操作パネル制御部３２を有する。なお、前記読み取り制御部３１及び操作パネル制御部３２はプログラム部である。
【００１２】
また、５０は制御部としての読み取り制御部であり、読み取り装置部５１、バッファ部５２、符号化部５３及び画像記憶部５４を有する。前記読み取り装置部５１は、ＬＥＤ（Ｌｉｇｈｔ  Ｅｍｉｔｔｉｎｇ  Ｄｉｏｄｅ）やＣＣＤ（Ｃｈａｒｇｅ  Ｃｏｕｐｌｅｄ  Ｄｅｖｉｃｅ：電荷結合素子）などの読み取りセンサを利用したスキャナ装置であり、原稿を読み取り、ドットイメージデータに変換する。さらに、前記読み取り装置部５１は、後述される機構部から構成され、原稿の有無をセンサによって検知し、フィードローラを駆動あるいは停止させることで、原稿の読み取り動作や排出動作、あるいは、原稿を読み取らずに搬送のみ行う読み飛ばし動作や搬送速度を制御するプログラム部である。また、前記バッファ部５２は、前記読み取り装置部５１によって読み取られた原稿の画像情報を一時的に一定量分だけ蓄積するメモリ部である。なお、前記原稿の読み飛ばし動作のときは、バッファ部５２への画像情報の蓄積は行われない。さらに、前記符号化部５３は、前記バッファ部５２から画像情報を読み出して圧縮符号化するプログラム部である。さらに、前記画像記憶部５４は、ＤＲＡＭ、ハードディスク等を備える大容量の画像情報記憶装置であり、前記符号化部５３によって圧縮符号化された画像情報が順次格納される記憶装置である。
【００１３】
また、前記操作パネル制御部１００は、キー入力部１０１及び表示部１０２を有する。そして、前記キー入力部１０１は、オペレータが装置を操作するために必要なファンクションキー、カーソルキー、スタートキー、ダイヤルキー等の操作パネル制御部１００のキー入力情報を解析するためのプログラム部である。また、前記表示部１０２は、前記キー入力部１０１によって入力されたキー情報に従って、オペレータへの操作ガイダンスを操作パネル制御部１００の液晶ディスプレイ（ＬＣＤ：Ｌｉｑｕｉｄ  Ｃｒｙｓｔａｌ  Ｄｉｓｐｌａｙ）又はＣＲＴディスプレイなどの装置情報報知部としての表示装置に表示するプログラム部である。
【００１４】
そして、４０は、前記ＣＰＵ１０によるプログラムの実行時に発生するデータを記憶する記憶装置としてのＲＡＭであり、メモリ部としての設定データ記憶部４１及び制御データ記憶部４２を有する。ここで、前記設定データ記憶部４１は、オペレータが選択可能な設定データを記憶する。また、前記制御データ記憶部４２は、何ページの原稿の読み取りが終了したかを記憶する読み取り枚数計数部としての読み取りページカウンタ（Ｐａｇｅ  Ｃｎｔ）４３、読み取りの何ページ目でジャムが発生したかを記憶するエラーページカウンタ（Ｐａｇｅ  Ｅｒｒ）４４、及び、原稿搬送制御時に原稿給紙ジャムを監視するための給紙ジャム監視タイマー（Ｊａｍ  ＴＭ）４５を記憶する。
【００１５】
また、印刷装置６０は、感熱記録方式、電子写真方式等のプリンタ装置であり、読み取り装置部５１で読み取った画像データやファクシミリ通信で受信した画像データなどをハードコピーとして出力する。
【００１６】
そして、モデム７０は、変復調装置であり、ファクシミリ伝送制御手順による手順データや画像データを変復調し、相手先のファクシミリ装置との間でデータを交換する。また、ＮＣＵ８０は、網制御装置であり、前記モデム７０と回線９０との接続及び開放を制御する。なお、前記回線９０は、公衆電話網、ローカル電話網等の交換回線網である。
【００１７】
そして、前記ＣＰＵ１０、ＲＯＭ３０、ＲＡＭ４０、読み取り制御部５０、印刷装置６０、モデム７０、ＮＣＵ８０及び操作パネル制御部１００は、システムバス２０によって相互に通信可能に接続され、ハードウェアを制御するほか、ソフトウェアを実行する。
【００１８】
次に、本実施の形態における原稿読み取り装置の機構部について説明する。
【００１９】
図２は本発明の第１の実施の形態における原稿読み取り装置の機構部の構成を示す図である。
【００２０】
図２において、５２２は読み取りユニットであり、媒体セット部としての原稿トレイ５１１に送信又は複写の対象となる原稿５１２が載置されている。そして、前記原稿トレイ５１１の原稿搬送方向に関して下流側には原稿５１２の有無を検知する媒体検出部としての原稿センサ５１３が配設されている。
【００２１】
また、原稿走行系には原稿分離セパレータ５１４、ＡＤＦ（Ａｕｔｏ  Ｄｏｃｕｍｅｎｔ  Ｆｅｅｄｅｒ）ローラ５１５及び排出センサ５１７が配設されている。そして、情報読み取り部としての密着センサ５１９のガラス面上には、読み取り面での原稿浮き上がり防止及びローラ表面の摩擦係数を低下させるＳ（Ｓｅｎｄ）ローラ５１８が配設されている。また、前記原稿５１２は、密着センサ５１９の前後に配設された第１フィードローラ５１６及び第２フィードローラ５２０によって挟み込まれて搬送され、排出トレイ５２１に排出される。
【００２２】
次に、前記構成の原稿読み取り装置の動作について説明する。
【００２３】
図３は本発明の第１の実施の形態における原稿搬送処理の動作を示す第１のフローチャート、図４は本発明の第１の実施の形態における原稿搬送処理の動作を示す第２のフローチャート、図５は本発明の第１の実施の形態における原稿搬送処理の動作を示す第３のフローチャート、図６は本発明の第１の実施の形態における原稿搬送処理の動作を示す第４のフローチャート、図７は本発明の第１の実施の形態における操作パネルの表示装置に表示される操作ガイダンスの例を示す第１の図、図８は本発明の第１の実施の形態における操作パネルの表示装置に表示される操作ガイダンスの例を示す第２の図、図９は本発明の第１の実施の形態における操作パネルの表示装置に表示される操作ガイダンスの例を示す第３の図、図１０は本発明の第１の実施の形態における操作パネルの表示装置に表示される操作ガイダンスの例を示す第４の図である。
【００２４】
ここでは、前記ＣＰＵ１０の原稿搬送処理の動作について説明する。なお、あらかじめ読み取り装置部５１の原稿トレイ５１１に読み取り可能な状態で原稿５１２が挿入されているものとし、オペレータによる読み取り開始指示を受け付けるところから説明する。
【００２５】
まず、原稿読み取り指示を受け付けたか否かを判断する。この場合、オペレータが原稿の読み取り開始指示を操作パネルの所定のスイッチが押下されたことより判別する。なお、原稿読み取り指示を受け付けるまで待機する。そして、原稿読み取り開始指示を受け付けると、読み取り制御処理に必要な読み飛ばしページ数イニシャルを行い、読み取りページカウンタ４３を１にセットする。すなわち、Ｐａｇｅ  Ｃｎｔを１にする。次に、エラーページカウンタクリアでエラーページカウンタ４４を０にセットする。すなわち、Ｐａｇｅ  Ｅｒｒを０にする。続いて、給紙ジャム監視タイマー値セットで給紙ジャム監視タイマー４５にタイマー値をセットする。
【００２６】
続いて、読み取りを行う。この場合、密着センサ５１９が点灯され、第１フィードローラ５１６及び第２フイードローラ５２０で搬送された原稿５１２は、密着センサ５１９によって１ライン毎に検出され、画像情報として前記バッファ部５２に蓄積される。
【００２７】
続いて、読み取り終了か否かを判断する。この場合、原稿５１２の最後端が排出センサ５１７を通過したことを該排出センサ５１７の信号変化によって検知し、これにより、１枚の原稿５１２の読み取りが終了したと判別するまで読み取り動作を継続する。そして、１枚の原稿５１２の読み取りが終了したと判別すると、次に読み取るべき原稿５１２が有るか否か、すなわち、次原稿有りか否かを判断する。この場合、原稿センサ５１３によって次に読み取るべき原稿５１２の有無を判別する。そして、更に読み取るべき原稿５１２が原稿トレイ５１１に存在しないと判別すると、現在搬送中の原稿排出を行い処理を終了する。この場合、第１フィードローラ５２０の駆動をある一定時間継続させることで原稿５１２の排出を完了させ、当該読み取りジョブを完了させる。
【００２８】
また、次原稿有りか否かを判断して、更に読み取るべき原稿５１２が原稿トレイ５１１に存在すると判別すると、ページ数アップを行い、読み取りページカウンタ４３のインクリメントを行う。すなわち、Ｐａｇｅ  Ｃｎｔインクリメントを行う。
【００２９】
続いて、既読み取り原稿排出＆次原稿給紙を行う。この場合、ＡＤＦローラ５１５と第１フィードローラ５１６が駆動され、原稿分離セパレータ５１４によって、最上部の原稿５１２から１枚ずつ搬送経路内に引き込まれる。また、これと同時に、次の原稿の搬送と並行して既に読み取った原稿の排出動作も行われる。
【００３０】
続いて、異常か否かを判断する。この場合、原稿給紙ジャムを監視するための給紙ジャム監視タイマー４５によって、給紙ジャムの有無を判断する。すなわち、ＡＤＦローラ５１５により給紙をスタートしたときタイマーをスタートし、所定時間又は所定量搬送しても、排出センサ５１７で原稿５１２を検出することができない場合、給紙ジャムとする。また、異常無しと判断すると、読み取り開始位置に到達したか否かを判断する。この場合、搬送中の原稿５１２が読み取り位置センサ（排出センサを兼ねる）５１７によって検知され、その後、原稿５１２が密着センサ５１９の位置に到達するまで搬送を続ける。
【００３１】
また、異常有りと判断すると、搬送中断を行う。この場合、給紙ジャムエラーとして、即座に原稿５１２の搬送を停止する。
【００３２】
続いて、エラーページ登録を行う。この場合、給紙ジャムが何ページ目で発生したかを記憶するため、読み取りページカウンタ４３の値をエラーページカウンタ４４に転記する。すなわち、Ｐａｇｅ  ＥｒｒにＰａｇｅ  Ｃｎｔを転記する。
【００３３】
続いて、ページ数イニシャルを行い、読み取りページカウンタ４３に１を初期値としてセットする。すなわち、Ｐａｇｅ  Ｃｎｔを１とする。この場合、ジャムが発生したページ、最後まで読み取ることができなかったページの読み取りデータは削除される。また、読み取りられたページデータは保存される。
【００３４】
続いて、原稿走行異常解除か否かを判断する。この場合、前記原稿ジャムが発生した後、読み取り装置部５１のジャム原稿を取り除いたか否かを判断する。すなわち、原稿センサ５１３が原稿無しを検出したか否かを判断する。そして、ジャム原稿が取り除かれるまで解除待ちを継続する。なお、センサでの検出でなく、オペレータの読み取り再開スイッチの押下の検出でもよい。
【００３５】
そして、ジャム原稿が取り除かれたと判別すると、読み取り継続確認表示を行う。この場合、操作パネル制御部１００の表示装置に、図７に示されるような、当該読み取りジョブ（コピー、ファクシミリ送信等の原稿読み取りを行う動作）を継続するか、あるいは、キャンセルするかの選択表示を操作ガイダンスとして表示する。
【００３６】
続いて、読み取り継続指示か否かを判断する。この場合、前記操作ガイダンスに従って、オペレータによる操作パネル制御部１００のキー入力情報に基づいて、当該読み取りジョブを継続するか又はキャンセルするかの判別を行う。そして、ジョブキャンセルと判断すると、操作パネル制御部１００の表示装置に、図８に示されるような、ジョブのキャンセル実行表示を操作ガイダンスとして表示し、ジャム発生で読み取り動作が中断されるまでに画像記憶部５４に蓄積された画像データはすべて消去し、当該読み取りジョブを完了させて処理を終了する。
【００３７】
また、読み取り継続指示か否かを判断して、ジョブ継続と判断すると、全原稿設定表示を行う。この場合、操作パネル制御部１００の表示装置に、図９に示されるような、原稿ジャムで中断される前に既に読み取り終わった原稿も含め、すべての原稿の再セットを促す表示を操作ガイダンスとして表示する。このとき、ジャム発生で読み取り動作が中断されるまでに画像記憶部５４に蓄積された画像データはすべて保持される。
【００３８】
続いて、原稿有りか否かを判断する。この場合、原稿センサ５１３によって原稿５１２が再セットされたか否かを判断する。
【００３９】
そして、Ｐａｇｅ  Ｃｎｔ＝Ｐａｇｅ  Ｅｒｒであるか否かを判断する。この場合、原稿ジャムで読み取りが中断されたページを判断する。すなわち、オペレータによる既読み取り原稿を含めた全原稿再セットによって、ジャムが発生したページに達するまでは読み飛ばしを行い、ジャムページ以降は読み取り動作に切り替えることを判別する。なお、ページ読み飛ばし中は「読み飛ばし中」である旨の表示を行う。
【００４０】
そして、ジャムが発生したページに達した、つまり、読み飛ばしのページが終了したと判断すると、読み取り動作の準備として原稿を読み取り位置まで搬送させるため、既読み取り原稿排出＆次原稿給紙を行う。
【００４１】
また、まだジャムが発生したページに達しない、つまり、読み飛ばしが可能であると判断すると、高速読み飛ばしを行う。この場合、単に原稿５１２の搬送のみを行い、密着センサ５１９による画像情報の読み取りは行わない。そして、通常は、読み取り指定の解像度が高い場合読み取り速度を遅くするが、読み取り時の解像度や濃度等の設定に関係無く、読み取り装置部５１が有する搬送速度の最大能力で読み飛ばしの搬送を行う。これは、通常読み取り時の搬送速度より速い。なお、Ｓローラ５１８を離間状態とすると、ジャムが発生しづらい。
【００４２】
続いて、１ページ読み飛ばし終了か否かを判断する。この場合、原稿５１２の最後端が排出センサ５１７を通過したことを検知し、これにより、１枚の原稿５１２の読み飛ばし動作が終了したと判断するまで読み飛ばし動作を継続する。そして、１枚の原稿の読み飛ばしが終了したと判別すると、次原稿有りか否かを判断する。この場合、原稿センサ５１３によって原稿トレイ５１１上の次原稿の有無を判断する。
【００４３】
続いて、次原稿が原稿トレイ５１１に存在することを判別すると、ページ数アップは、読み飛ばしページ数のカウントアップを行い、Ｐａｇｅ  Ｃｎｔ＝Ｐａｇｅ  Ｅｒｒであるか否かを判断する。
【００４４】
また、次原稿有りか否かを判断して、次原稿が原稿トレイ５１１に存在しないと判断すると、現在搬送中の原稿排出を行う。この場合、第１フィードローラ５２０の駆動をある一定時間継続させることで原稿５１２の排出を完了させる。
【００４５】
そして、エラー表示を行い、処理を終了する。この場合、本来であれば読み飛ばし動作中に次原稿が無くなるということはないため、操作パネル制御部１００の表示装置に、図１０に示されるようなエラー表示を行うとともに、ジャム発生で読み取り動作が中断されるまでに画像記憶部５４に蓄積された画像データをすべて消去し、当該読み取りジョブそのものをキャンセルして完了させる。
【００４６】
次に、フローチャートについて説明する。
ステップＳ１  原稿読み取り指示を受け付けたか否かを判断する。原稿読み取り指示を受け付けた場合はステップＳ２に進み、原稿読み取り指示を受け付けていない場合は待機する。初期値を“１”としたが、初期値を“０”としても良い。
ステップＳ２  読み取り制御処理に必要な読み飛ばしページ数イニシャルを行い、Ｐａｇｅ  Ｃｎｔを１にする。
ステップＳ３  エラーページカウンタクリア、すなわち、Ｐａｇｅ  Ｅｒｒを０にする。
ステップＳ４  給紙ジャム監視タイマー４５にタイマー値をセットする。
ステップＳ４−１  給紙を行う。
ステップＳ４−２  異常か否かを判断する。異常無しと判断した場合はステップＳ５に進み、異常有りと判断した場合はステップＳ１３に進む。
ステップＳ５  読み取りを行う。
ステップＳ６  読み取り終了か否かを判断する。読み取り終了の場合はステップＳ７に進み、読み取り終了でない場合はステップＳ５に戻る。ここでも、異なるタイマを設定し、ジャムを監視しても良い。
ステップＳ７  次原稿有りか否かを判断する。次原稿無しの場合はステップＳ８に進み、次原稿有りの場合はステップＳ９進む。
ステップＳ８  原稿排出を行い処理を終了する。
ステップＳ９  ページ数アップを行い、Ｐａｇｅ  Ｃｎｔインクリメントを行う。
ステップＳ１０  既読み取り原稿排出＆次原稿給紙＆タイマセットを行う。
ステップＳ１１  異常か否かを判断する。異常でない場合はステップＳ１２に進み、異常の場合はステップＳ１３に進む。
ステップＳ１２  読み取り開始位置に到達したか否かを判断する。読み取り開始位置に到達した場合はステップＳ５に戻り、読み取り開始位置に到達していない場合はステップＳ１１に戻る。
ステップＳ１３  搬送中断を行う。
ステップＳ１４  エラーページ登録を行い、Ｐａｇｅ  ＥｒｒにＰａｇｅ  Ｃｎｔを転記する。
ステップＳ１５  ページ数イニシャルを行い、Ｐａｇｅ  Ｃｎｔを１とする。
ステップＳ１６  原稿走行異常解除か否かを判断する。原稿走行異常解除の場合はステップＳ１７に進み、原稿走行異常解除でない場合は待機する。
ステップＳ１７  読み取り継続確認表示を行う。
ステップＳ１８  読み取り継続指示か否かを判断する。読み取り継続指示の場合はステップＳ１９に進み、読み取り継続指示でない場合は処理を終了する。
ステップＳ１９  全原稿設定表示を行う。
ステップＳ２０  原稿有りか否かを判断する。原稿有りの場合はステップＳ２１に進み、原稿無しの場合はステップＳ１９に戻る。
ステップＳ２１  Ｐａｇｅ  Ｃｎｔ＝Ｐａｇｅ  Ｅｒｒであるか否かを判断する。Ｐａｇｅ  Ｃｎｔ＝Ｐａｇｅ  Ｅｒｒである場合はステップＳ１０に戻り、Ｐａｇｅ  Ｃｎｔ＝Ｐａｇｅ  Ｅｒｒでない場合はステップＳ２２に進む。
ステップＳ２２  高速読み飛ばしを行う。
ステップＳ２３  １ページ読み飛ばし終了か否かを判断する。１ページ読み飛ばし終了の場合はステップＳ２４に進み、１ページ読み飛ばし終了でない場合はステップＳ２２に戻る。ここでも、更に異なるタイマを設定して、ジャム監視を行っても良い。
ステップＳ２４  次原稿有りか否かを判断する。次原稿有りの場合はステップＳ２５に進み、次原稿無しの場合はステップＳ２６進む。
ステップＳ２５  ページ数のカウントアップを行い、Ｐａｇｅ  Ｃｎｔインクリメントを行う。
ステップＳ２６  原稿排出を行う。
ステップＳ２７  エラー表示を行い、処理を終了する。
【００４７】
このように、本実施の形態においては、原稿搬送時にジャムが発生した場合、既に読み取った原稿を含むすべての原稿を再度原稿トレイ５１１にセットし直し、全原稿につき再搬送を行うようになっている。この場合、給紙ジャムが何ページ目で発生したか、すなわち、既に読み取った原稿の枚数がエラーページカウンタ４４によって記憶されている。そのため、再度の原稿搬送時には、既読み取り原稿の枚数分については読み飛ばされ、すなわち、読み取りは行われずに搬送のみが行われ、残りの原稿についてのみ読み取りが行われる。
【００４８】
また、原稿ジャム発生によって中断された読み取りを再開した際、中断された原稿までの読み飛ばし動作における原稿搬送速度を、既に読み取ったときの解像度や濃度などの設定に関係無く、読み取り装置部５１が有する搬送速度の最大能力で搬送するようになっている。これにより、原稿の読み取り動作におけるオペレータの時間的なロスを軽減させることができる。
【００４９】
次に、本発明の第２の実施の形態について説明する。なお、第１の実施の形態と同じ構成を有するものは、同じ符号を付与することによってその説明を省略する。また、前記第１の実施の形態と同じ動作及び同じ効果についても、その説明を省略する。
【００５０】
図１１は本発明の第２の実施の形態におけるＲＡＭの構成を示す図である。
【００５１】
本実施の形態において、設定データ記憶部４１は、オペレータが選択可能な設定データで、原稿の読み飛ばし動作時の原稿の給紙速度、つまりＡＤＦローラ５１５の回転速度である原稿給紙搬送速度を変更するための「Ｎｏｒｍａｌ」と「Ｆａｓｔ」の設定値から構成される原稿給紙速度切り替え（Ｆｅｅｄ  ＰＰＳ）４１ａを有する。
【００５２】
また、制御データ記憶部４２は、前記第１の実施の形態と同様、何ページの原稿の読み取りが終了したかを記憶する読み取りページカウンタ４３、読み取りの何ページ目でジャムが発生したかを記憶するエラーページカウンタ４４、原稿搬送制御時に原稿給紙ジャムを監視するための給紙ジャム監視タイマー４５を有し、本実施の形態においては、さらに、読み飛ばしフラグ（Ｒｅａｄ  Ｐａｓｓ）４６が追加されている。該読み飛ばしフラグ４６は、読み飛ばし搬送制御中か、又は、読み取り制御中かを判別するためのフラグを記憶するメモリ部である。
【００５３】
さらに、操作パネル制御部１００は、前記原稿給紙速度切り替え４１ａの設定操作が可能なプログラムを有する。
【００５４】
さらに、読み取り制御部５０は、前記原稿給紙速度切り替え４１ａの設定内容によって読み取り装置部５１の給紙搬送速度の制御を行うプログラムを有する。その他の点の構成については、前記第１の実施の形態と同様であるので、その説明を省略する。
【００５５】
次に、本実施の形態における原稿読み取り装置の動作について説明する。まず、原稿給紙速度切り替え４１ａの設定データ変更の動作について説明する。
【００５６】
図１２は本発明の第２の実施の形態における原稿給紙速度切り替えの設定データ変更の動作を示すフローチャート、図１３は本発明の第２の実施の形態における操作パネルの表示装置に表示される操作ガイダンスの例を示す第１の図、図１４は本発明の第２の実施の形態における操作パネルの表示装置に表示される操作ガイダンスの例を示す第２の図である。
【００５７】
ここでは、オペレータによる原稿給紙速度切り替え４１ａの設定データである「Ｎｏｒｍａｌ」と「Ｆａｓｔ」の変更処理について説明する。
【００５８】
まず、原稿給紙速度切り替え表示を行う。この場合、設定データ記憶部４１内の原稿給紙速度切り替え４１ａに記憶された設定値を読み出し、その内容に対応した文字列を操作パネル制御部１００の表示部１０２によって表示装置に表示する。なお、設定値が「Ｆａｓｔ」を示す内容であれば、図１３に示されるような操作ガイダンスが表示され、「Ｎｏｒｍａｌ」を示す内容であれば、図１４に示されるような操作ガイダンスが表示される。
【００５９】
続いて、設定データ変更か否かを判断する。この場合、オペレータによる操作パネルのキー操作によって、操作パネル制御部１００のキー入力部１０１が設定値の変更操作を判断する。そして、設定データ変更でない場合は処理を終了する。また、図１３又は１４に示す「Ｓｅｌｅｃｔ」キーが入力されたと判別すると、原稿給紙速度切り替えを行う。この場合、原稿給紙速度切り替え４１ａの設定値が「Ｎｏｒｍａｌ」であれば「Ｆａｓｔ」に、「Ｆａｓｔ」であれば「Ｎｏｒｍａｌ」に表示装置の表示を切り替え、「Ｅｎｔｅｒ」キーの入力によって原稿給紙速度切り替え４１ａの設定値が書き換えられ、処理を終了する。このとき、ジャム（給紙ジャム）検出用タイマ値も、Ｎｏｒｍａｌ用、Ｆａｓｔ用で切り替えられる。
【００６０】
次に、フローチャートについて説明する。
ステップＳ３１  原稿給紙速度切り替え表示を行う。
ステップＳ３２  設定データ変更か否かを判断する。設定データ変更の場合はステップＳ３３に進み、設定データ変更でない場合は処理を終了する。
ステップＳ３３  原稿給紙速度切り替えを行う。原稿給紙速度切り替え４１ａの設定値が「Ｎｏｒｍａｌ」であれば「Ｆａｓｔ」に、「Ｆａｓｔ」であれば「Ｎｏｒｍａｌ」に表示装置の表示を切り替え、処理を終了する。
【００６１】
次に、原稿搬送処理の動作について説明する。
【００６２】
図１５は本発明の第２の実施の形態における原稿搬送処理の動作を示す第１のフローチャート、図１６は本発明の第２の実施の形態における原稿搬送処理の動作を示す第２のフローチャートである。
【００６３】
この場合、原稿搬送処理は、前記原稿給紙速度切り替え４１ａの設定値によって処理される。ここでは、説明の前提として、本実施の形態において特徴となる、読み飛ばし中の次原稿の給紙における搬送制御に特化して説明する。その他の処理については前記第１の実施の形態と同じであるので、説明を省略する。
【００６４】
さらに、前記第１の実施の形態は、原稿給紙速度切り替え４１ａの設定値を「Ｆａｓｔ」として固定的に処理させたものと同様であり、本実施の形態においては、この設定値を「Ｆａｓｔ」と「Ｎｏｒｍａｌ」のそれぞれに切り替えることができることを特徴としている。つまり、「Ｆａｓｔ」としての処理は、第１の実施の形態で説明しているため、ここでは、説明を省略し、原稿給紙速度切り替え４１ａの設定値が「Ｎｏｒｍａｌ」に設定されているものとして説明する。なお、図１５は前記第１の実施の形態で説明した図６に、図１６は前記第１の実施の形態で説明した図４に対応付けられる。
【００６５】
まず、原稿給紙速度切り替え（Ｆｅｅｄ  ＰＰＳ）設定値読み出し＆読み飛ばしフラグセットを行う。この場合、前記図５におけるステップＳ２０から移行し、原稿給紙速度切り替え４１ａに記憶された設定値を読み出し、読み飛ばし準備完了として、読み飛ばしフラグ４６を１にセットする。すなわち、Ｒｅａｄ  Ｐａｓｓを１にする。つまり、読み取り中の原稿ジャム発生による中断後、オペレータが既に読み取った原稿も含めてすべての原稿を再セットし、読み飛ばし動作が可能な状態である。
【００６６】
続いて、Ｐａｇｅ  Ｃｎｔ＝Ｐａｇｅ  Ｅｒｒであるか否かを判断する。この場合、原稿ジャムで読み取りが中断されたページを判断する。すなわち、オペレータが既に読み取った原稿を含むすべての原稿を再セットすると、ジャムが発生したページに達するまでは読み飛ばしを行い、ジャムが発生したページ以降は読み取り動作に切り替えることを判断する。
【００６７】
そして、ジャムが発生したページに達した、つまり読み飛ばしのページが終了したと判断すると、読み飛ばしフラグクリアを行う。この場合、読み飛ばし動作が完了したとして、Ｒｅａｄ  Ｐａｓｓを０にリセットし、読み取り動作の準備として原稿を読み取り位置まで搬送させるため、既読み取り原稿排出＆次原稿給紙を行う。
【００６８】
また、まだジャムが発生したページに達しない、つまり読み飛ばしが可能であると判断すると、Ｆｅｅｄ  ＰＰＳに基づいた給紙速度で用紙を給紙した後、高速読み飛ばしを行う。この場合、単に原稿の搬送のみを行い、密着センサ５１９による画像情報の読み取りは行わない。そして、読み取り時の解像度や濃度などの設定に関係なく、読み取り装置部５１が有する搬送速度の最大能力で読み飛ばしの搬送を行う。
【００６９】
続いて、１ページ読み飛ばし終了か否かを判断する。この場合、原稿の最後端が排出センサ５１７を通過したことを検知し、これにより、１枚の原稿の読み飛ばし動作が終了したと判断するまで読み飛ばし動作を継続する。そして、１枚の原稿の読み飛ばしが終了したと判断すると、次原稿有りか否かを判断する。この場合、原稿センサ５１３によって原稿トレイ５１１上の次の原稿の有無を判断する。
【００７０】
続いて、次の原稿が原稿トレイ５１１上に存在しないと判別すると、原稿排出を行う。この場合、第ｌフィードローラ５１６の駆動をある一定時間継続させることで原稿の排出を完了させる。
【００７１】
そして、エラー表示を行い、処理を終了する。この場合、本来であれば、読み飛ばし動作中に次の原稿が無くなるということはないため、操作パネル制御部１００の表示装置に、図１０に示されるようなエラー表示を行うとともに、ジャム発生で読み取り動作が中断されるまでに画像記憶部５４に蓄積された画像データをすべて消去し、当該読み取りジョブそのものをキャンセルして完了させる。
【００７２】
そして、次原稿有りか否かを判断して、次の原稿５１２が原稿トレイ５１１に存在することを判別すると、ページ数アップは、読み飛ばしページ数のカウントアップを行い、読み取りページカウンタ４３のインクリメントを行う。すなわち、Ｐａｇｅ  Ｃｎｔインクリメントを行う。
【００７３】
なお、本実施の形態におけるポイントは、この読み飛ばし動作中のページ間の搬送制御によって、通常の読み取り動作と同様の制御による給紙搬送を行っている点である。
【００７４】
続いて、既読み取り原稿排出＆次原稿給紙を行う。この場合、ＡＤＦローラ５１５と第１フィードローラ５１６が駆動され、原稿分離セパレータ５１４によって、最上部の原稿５１２から１枚ずつ搬送経路内に引き込まれる。また、これと同時に、次の原稿の搬送と並行して既に読み飛ばした原稿の排出動作も行われる。この場合、ローラ５１５、５１６はＦｅｅｄ  ＰＰＳに基づき回転し、ローラ５２０は高速で回転する。
【００７５】
続いて、異常か否かを判断する。この場合、前記原稿給紙中の給紙ジャム監視タイマー４５によって、給紙ジャムの判断を行う。そして、異常無しと判断すると、読み取り開始位置に到達したか否かを判断する。この場合、搬送中の原稿が読み取り位置センサ５１７（排出センサを兼ねる）によって検知され、その後密着センサ５１９位置に到達するまで搬送を続ける。
【００７６】
続いて、Ｒｅａｄ  Ｐａｓｓ＝１であるか否かを判断する。この場合、読み飛ばしフラグ４６によって、読み飛ばし動作中か、読み飛ばし動作が完了し、読み取り動作を開始するかの判断を行う。そして、読み飛ばし動作中と判断すると、Ｐａｇｅ  Ｃｎｔ＝Ｐａｇｅ  Ｅｒｒであるか否かを判断する。また、読み飛ばし動作が完了し、読み取り動作を開始すると判断すると、前記図３におけるステップＳ５に移行する。
【００７７】
そして、異常か否かを判断して、異常有りと判断すると、搬送中断を行う。この場合、給紙ジャムエラーとして、即座に原稿の搬送を停止する。
【００７８】
続いて、ページ数初期化を行う。この場合、読み取りページカウンタ４３を初期値としての１にセットする。すなわち、Ｐａｇｅ  Ｃｎｔを１にする。
【００７９】
続いて、Ｒｅａｄ  Ｐａｓｓ＝１であるか否かを判断する。この場合、読み飛ばしフラグ４６によって、読み飛ばし動作中か、読み飛ばし動作後の読み取り動作中かの判断を行う。そして、読み飛ばし動作中と判断すると、図５におけるステップＳ１６に移行する。また、読み飛ばし動作後の読み取り動作中と判断すると、エラーページ登録を行う。この場合、給紙ジャムが何ページ目で発生したかを記憶するため、読み取りページカウンタ４３の値をエラーページカウンタ４４に転記する。すなわち、Ｐａｇｅ  ＥｒｒにＰａｇｅ  Ｃｎｔを転記する。そして、図５におけるステップＳ１６に移行する。
【００８０】
次に、フローチャートについて説明する。
ステップＳ３４  原稿給紙速度切り替え（Ｆｅｅｄ  ＰＰＳ）設定値読み出し＆読み飛ばしフラグセットを行い、Ｒｅａｄ  Ｐａｓｓを１にする。
ステップＳ３５  Ｐａｇｅ  Ｃｎｔ＝Ｐａｇｅ  Ｅｒｒであるか否かを判断する。Ｐａｇｅ  Ｃｎｔ＝Ｐａｇｅ  Ｅｒｒである場合はステップＳ３６に進み、Ｐａｇｅ  Ｃｎｔ＝Ｐａｇｅ  Ｅｒｒでない場合はステップＳ３７に進む。
ステップＳ３５−１  Ｆｅｅｄ  ＰＰＳに基づく速度で給紙を行う。
ステップＳ３６  読み飛ばしフラグクリアを行い、Ｒｅａｄ  Ｐａｓｓを０にリセットする。
ステップＳ３７  高速読み飛ばしを行う。
ステップＳ３８  １ページ読み飛ばし終了か否かを判断する。１ページ読み飛ばし終了の場合はステップＳ３９に進み、１ページ読み飛ばし終了でない場合はステップＳ３５−１に戻る。
ステップＳ３９  次原稿有りか否かを判断する。次原稿無しの場合はステップＳ４０に進み、次原稿有りの場合はステップＳ４２進む。
ステップＳ４０  原稿排出を行う。
ステップＳ４１  エラー表示を行い、処理を終了する。
ステップＳ４２  読み飛ばしページ数のカウントアップを行い、Ｐａｇｅ  Ｃｎｔインクリメントを行う。
ステップＳ４３  既読み取り原稿排出＆次原稿給紙＆タイマセットを行う。
ステップＳ４４  異常か否かを判断する。異常でない場合はステップＳ４５に進み、異常の場合はステップＳ４７に進む。
ステップＳ４５  読み取り開始位置に到達したか否かを判断する。読み取り開始位置に到達した場合はステップＳ４６に進み、読み取り開始位置に到達していない場合はステップＳ４４に戻る。
ステップＳ４６  Ｒｅａｄ  Ｐａｓｓ＝１であるか否かを判断する。Ｒｅａｄ  Ｐａｓｓ＝１である場合はステップＳ３５に戻り、Ｒｅａｄ  Ｐａｓｓ＝１でない場合はステップＳ５に戻る。
ステップＳ４７  搬送中断を行う。
ステップＳ４８  ページ数初期化を行い、Ｐａｇｅ  Ｃｎｔを１にする。
ステップＳ４９  Ｒｅａｄ  Ｐａｓｓ＝１であるか否かを判断する。Ｒｅａｄ  Ｐａｓｓ＝１である場合はステップＳ１６に戻り、Ｒｅａｄ  Ｐａｓｓ＝１でない場合はステップＳ５０に進む。
ステップＳ５０  エラーページ登録を行い、Ｐａｇｅ  ＥｒｒにＰａｇｅ  Ｃｎｔを転記する。
【００８１】
前記第１の実施の形態においては、ジャムが発生したページまでの読み飛ばし動作において、１枚の原稿の給紙と搬送が高速で行われるため、一連の読み飛ばし動作の時間が短くて済むが、読み取り中の給紙動作と異なり高速で行われるため読み取り中に問題なく給紙することができたページが、読み飛ばし動作中に新たに発生するジャムで中断されてしまうということが懸念された。
【００８２】
これに対し、本実施の形態においては、原稿５１２を読み取り開始位置まで給紙するまでは、低速で搬送して、原稿５１２の最後端が排出センサ５１７を通過した後は高速で読み飛ばしを行うように切り替える。そのため、読み飛ばし動作中の給紙ジャムの発生を低減させることができる。また、オペレータの設定操作で、第１の実施の形態と本実施の形態とにおけるそれぞれの給紙搬送制御を必要に応じて切り替えることができる。
【００８３】
なお、読み飛ばし動作中に再度ジャムが発生した場合、オペレータの設定操作とは別に自動的に本実施の形態の給紙搬送制御に切り替えるということも可能である。
【００８４】
これにより、ジャムの再発によるオペレータの操作負担と、時間的なロスを低減することができる。
【００８５】
次に、本発明の第３の実施の形態について説明する。なお、第１及び第２の実施の形態と同じ構成を有するものは、同じ符号を付与することによって、その説明を省略する。また、前記第１及び第２の実施の形態と同じ動作及び同じ効果についても、その説明を省略する。
【００８６】
図１７は本発明の第３の実施の形態におけるＲＡＭの構成を示す図である。
【００８７】
本実施の形態において、制御データ記憶部４２は、前記第２の実施の形態と同様、読み取りページカウンタ４３、エラーページカウンタ４４、給紙ジャム監視タイマー４５、読み飛ばしフラグ４６を有し、本実施の形態においては、さらに、ジャムページフラグ（Ｊａｍ  Ｐａｇｅ）４７が追加されている。該ジャムページフラグ４７は、読み飛ばし動作中に、ジャムが発生したページに到達したことを示すフラグを記憶するメモリ部である。
【００８８】
また、給紙ジャム監視タイマー４５は、ジャムが発生したページに到達したことを示すジャムページフラグ４７によって、制御するタイマー値を変更させるよう構成している点で、前記第１の実施の形態と異なる。すなわち、読み飛ばし動作が完了し、ジャム発生によって中断したページを給紙するときのジャム監視タイマーを、ジャム発生によって中断したページ以降の読み取り動作時の給紙におけるジャム監視タイマーより短くするようになっている。
【００８９】
さらに、読み取り制御部５０は、前記給紙ジャム監視タイマー４５の設定値によって読み取り装置部５１の給紙搬送時のジャム監視制御を行うプログラムを有する。
【００９０】
なお、前記第２の実施の形態で説明した設定データ記憶部４１の原稿給紙速度切り替え４１ａ、及び、制御データ記憶部４２の読み飛ばしフラグ４６は、本実施の形態との組み合わせが可能であり、削除せずに本実施の形態に含めて構成している。その他の点の構成については、前記第１の実施の形態と同様であるので、その説明を省略する。
【００９１】
次に、本実施の形態における原稿読み取り装置の動作について説明する。まず、オペレータによる既読み取り原稿を含めた全原稿再セットによる読み飛ばし処理の動作について説明する。
【００９２】
図１８は本発明の第３の実施の形態におけるオペレータによる既読み取り原稿を含めた全原稿再セットによる読み飛ばし処理の動作を示すフローチャートである。
【００９３】
なお、図１８は前記第１の実施の形態で説明した図６とほぼ同様であり、本実施の形態に特有な処理は、ジャムページフラグセット処理に限定される。
【００９４】
まず、Ｐａｇｅ  Ｃｎｔ＝Ｐａｇｅ  Ｅｒｒであるか否かを判断する。この場合、原稿ジャムで読み取りが中断されたページを判断する。すなわち、オペレータが既に読み取り原稿を含めたすべての原稿を再セットすることによって、ジャムが発生したページに達するまでは読み飛ばしを行い、ジャムが発生したページ以降は読み取り動作に切り替えることを判断する。そして、ジャムが発生したページに達した、つまり読み飛ばしのページが終了したと判断すると、ジャムページフラグセットを行う。この場合、ジャムが発生したページに到達したことを示すため、ジャムページフラグ４７に１をセットし、すなわち、Ｊａｍ  Ｐａｇｅを１にし、読み取り動作の準備として原稿を読み取り位置まで搬送させるため、前記図４におけるステップＳ１０へ移行する。
【００９５】
また、まだジャムが発生したページに達しない、つまり読み飛ばしが可能であると判断すると、高速読み飛ばしを行う。
【００９６】
なお、これ以降の動作は、前記第１の実施の形態のおいて説明した図６に示されるステップＳ２２からステップＳ２７までの動作と同一であるため、説明を省略する。
【００９７】
次に、読み飛ばし終了後、ジャム発生原稿を読み取り位置まで給紙する際のジャムの監視処理の動作について説明する。
【００９８】
図１９は本発明の第３の実施の形態における読み飛ばし終了後、ジャム発生原稿を読み取り位置まで給紙する際のジャムの監視処理の動作を示すフローチャートである。
【００９９】
なお、ここで説明する動作は、前記第１の実施の形態において説明した給紙ジャムエラーを判断するための図４に示されるステップＳ１１の動作を具体化したものである。
【０１００】
まず、読み飛ばし終了か否かを判断する。この場合、読み飛ばしの最後の原稿５１２の最後端が、排出センサ５１７を通過したことを検知し、これにより、１枚の原稿の読み飛ばし動作が終了したと判断するまで読み飛ばし動作を継続する。
【０１０１】
続いて、次原稿有りか否かを判断する。この場合、１枚の原稿の読み飛ばしが終了したと判断すると、原稿センサ５１３によって原稿トレイ５１１上に次の原稿があるか否かを判断する。そして、次の原稿が原稿トレイ５１１に存在することを判断すると、Ｊａｍ  Ｐａｇｅ＝１であるか否かを判断する。この場合、ジャムページフラグ４７の内容によって、ジャム監視用のタイマー値を別個の値にセットするための判断を行う。そして、Ｊａｍ  Ｐａｇｅ＝１でない場合は、ジャム監視タイマー値セットを行う。ここで、ジャムページフラグ４７が０の場合、すなわち、ジャム発生によって中断したページ以外の給紙を行う場合、ジャム監視用のタイマー値Ｔ１を、給紙ジャム監視タイマー４５にセットする。すなわち、Ｊａｍ  ＴＭをＴ１にセットする。また、Ｊａｍ  Ｐａｇｅ＝１である場合は、ジャム監視タイマー値セットを行う。ここで、ジャムページフラグ４７が１の場合、すなわち、ジャム発生によって中断したページの給紙を行う場合、ジャム監視用のタイマー値Ｔ２を、給紙ジャム監視タイマー４５にセットする。すなわち、Ｊａｍ  ＴＭをＴ２にセットする。
【０１０２】
このタイマーは、読み取り位置センサ（排出センサを兼ねる）５１７が、オンからオフへ変化した時点（原稿の最後端が排出通過して）から、原稿センサ５１３上にある次の原稿がセンサ５１７に到達して再びオフからオンに変化（次原稿の先端が給紙通過）するまでの時間監視を行うためのものである。
【０１０３】
なお、前記タイマー値Ｔ１は、原稿センサ５１３から読み取りセンサ５１７までの搬送距離、原稿搬送速度、搬送時の原稿すべり量等から算出され、さらに、十分なマージンを加味した値となっている。これに対し、前記タイマー値Ｔ２は、前記タイマー値Ｔ１における十分なマージンの値を、最小限のマージン値として算出した値とする。つまり、一度ジャムが発生した原稿の給紙は、その給紙時間（ジャム監視時間）を短くすることが本実施の形態の特徴である。
【０１０４】
続いて、原稿給紙を行う。この場合、ＡＤＦローラ５１５と第１フィードローラ５１６が１駆動され、原稿分離セパレータ５１４によって、最上部の原稿から１枚ずつ搬送経路内に引き込まれる。
【０１０５】
続いて、ジャム監視タイマーＴ．Ｏ．（タイムアウト）か否かを判断する。この場合、前記給紙ジャム監視タイマー４５にセットしたタイマー値Ｔ１又はＴ２の時間監視を行う。そして、給紙ジャム監視タイマー４５がタイムアウトしていなければ、読み取りセンサ通過か否かを判断する。この場合、読み取りセンサ５１７がオフからオンに変化するのを検知して次の原稿の先端が通過するのを判断する。そして、次の原稿が読み取りセンサ５１７を通過していなければ、原稿給紙を行い、ジャム監視タイマー時間内の給紙搬送を行う。
【０１０６】
また、次の原稿が時間内に読み取りセンサ５１７を通過したことを検知すると、給紙動作が正常に終了したとして給紙動作正常となる。
【０１０７】
一方、給紙ジャム監視タイマー４５がタイムアウトし、時間内に次の原稿が読み取りセンサ５１７を通過しなかった場合、給紙動作が正常に行われなかったとして給紙ジャムとなる。そして、ジャムページフラグクリアを行う。この場合、ジャムが発生した原稿の給紙処理が終了したとして、ジャムページフラグ４７を０として、すなわち、Ｊａｍ  Ｐａｇｅを０にして、処理を終了する。
【０１０８】
このように、前記給紙動作正常、あるいは、給紙ジャムの結果が、前記図４におけるＳ１１の結果として通知される。
【０１０９】
次に、図１８に示されるフローチャートについて説明する。
ステップＳ５１  Ｐａｇｅ  Ｃｎｔ＝Ｐａｇｅ  Ｅｒｒであるか否かを判断する。Ｐａｇｅ  Ｃｎｔ＝Ｐａｇｅ  Ｅｒｒである場合はステップＳ５２に進み、Ｐａｇｅ  Ｃｎｔ＝Ｐａｇｅ  Ｅｒｒでない場合はステップＳ５３に進む。
ステップＳ５２  ジャムページフラグセットを行い、Ｊａｍ  Ｐａｇｅを１にする。
ステップＳ５３  高速読み飛ばしを行う。
ステップＳ５４  １ページ読み飛ばし終了か否かを判断する。１ページ読み飛ばし終了の場合はステップＳ５５に進み、１ページ読み飛ばし終了でない場合はステップＳ５３に戻る。ここでも、ジャム監視を行っても良い。
ステップＳ５５  次原稿有りか否かを判断する。次原稿有りの場合はステップＳ５６に進み、次原稿無しの場合はステップＳ５７進む。
ステップＳ５６  ページ数のカウントアップを行い、Ｐａｇｅ  Ｃｎｔインクリメントを行う。
ステップＳ５７  原稿排出を行う。
ステップＳ５８  エラー表示を行い、処理を終了する。
【０１１０】
次に、図１９に示されるフローチャートについて説明する。
ステップＳ６１  読み飛ばし終了か否かを判断する。読み飛ばし終了の場合はステップＳ６２に進み、読み飛ばし終了でない場合は待機する。
ステップＳ６２  次原稿有りか否かを判断する。次原稿有りの場合はステップＳ６３に進み、次原稿無しの場合は処理を終了する。
ステップＳ６３  Ｊａｍ  Ｐａｇｅ＝１であるか否かを判断する。Ｊａｍ  Ｐａｇｅ＝１でない場合はステップＳ６４に進み、Ｊａｍ  Ｐａｇｅ＝１である場合はステップＳ６５に進む。
ステップＳ６４  ジャム監視タイマー値セットを行う。すなわち、Ｊａｍ  ＴＭをＴ１にセットする。
ステップＳ６５  ジャム監視タイマー値セットを行う。すなわち、Ｊａｍ  ＴＭをＴ２にセットする。
ステップＳ６６  原稿給紙を行う。
ステップＳ６７  ジャム監視タイマーＴ．Ｏ．か否かを判断する。ジャム監視タイマーＴ．Ｏ．でない場合はステップＳ６８に進み、ジャム監視タイマーＴ．Ｏ．の場合はステップＳ７０に進む。
ステップＳ６８  読み取りセンサ通過か否かを判断する。読み取りセンサ通過の場合はステップＳ６９に進み、読み取りセンサ通過していない場合はステップＳ６７に戻る。
ステップＳ６９  給紙動作正常となる。
ステップＳ７０  給紙ジャムとなる。
ステップＳ７１  ジャムページフラグクリアを行い、Ｊａｍ  Ｐａｇｅを０にして、処理を終了する。
【０１１１】
原稿ジャム発生によって中断された読み取りを再開した際、ジャムで中断された原稿は再びジャムが発生しやすい状態になっていることが懸念される。特に１回目のジャムによって原稿自体が傷つけられてしまった状態では、再度の原稿給紙動作によって更に原稿を傷める可能性が高い。原稿に損傷を与えることは極力避けなければならないことは当然のことである。
【０１１２】
そこで、本実施の形態においては、ジャムが発生した原稿のみ、その給紙におけるジャムと判断するまでの監視時間を通常の給紙におけるジャム監視時間よりも短くするようになっている。そのため、早めにジャムを検出することにより不用意な給紙動作によって、原稿に致命的なダメージを与えることがない。
【０１１３】
なお、通常のジャム監視時間の設定は、機構上の搬送距離、原稿搬送速度、搬送時における原稿のすべり量等に基づいて算出され、さらに、十分なマージンを加味したタイマー値Ｔ１としている。本実施の形態においては、前記マージンの値を最小限の値として算出するが、更に、原稿のすべり量は、搬送する原稿媒体の特性によって媒体の種類毎のデータとしてあらかじめ保持し、搬送する際に媒体の種類を選択してすべり量を算出するということも可能である。
【０１１４】
なお、本発明は前記実施の形態に限定されるものではなく、本発明の趣旨に基づいて種々変形させることが可能であり、それらを本発明の範囲から排除するものではない。
【図面の簡単な説明】
【０１１５】
【図１】本発明の第１の実施の形態における原稿読み取り装置の構成を示す図である。
【図２】本発明の第１の実施の形態における原稿読み取り装置の機構部の構成を示す図である。
【図３】本発明の第１の実施の形態における原稿搬送処理の動作を示す第１のフローチャートである。
【図４】本発明の第１の実施の形態における原稿搬送処理の動作を示す第２のフローチャートである。
【図５】本発明の第１の実施の形態における原稿搬送処理の動作を示す第３のフローチャートである。
【図６】本発明の第１の実施の形態における原稿搬送処理の動作を示す第４のフローチャートである。
【図７】本発明の第１の実施の形態における操作パネルの表示装置に表示される操作ガイダンスの例を示す第１の図である。
【図８】本発明の第１の実施の形態における操作パネルの表示装置に表示される操作ガイダンスの例を示す第２の図である。
【図９】本発明の第１の実施の形態における操作パネルの表示装置に表示される操作ガイダンスの例を示す第３の図である。
【図１０】本発明の第１の実施の形態における操作パネルの表示装置に表示される操作ガイダンスの例を示す第４の図である。
【図１１】本発明の第２の実施の形態におけるＲＡＭの構成を示す図である。
【図１２】本発明の第２の実施の形態における原稿給紙速度切り替えの設定データ変更の動作を示すフローチャートである。
【図１３】本発明の第２の実施の形態における操作パネルの表示装置に表示される操作ガイダンスの例を示す第１の図である。
【図１４】本発明の第２の実施の形態における操作パネルの表示装置に表示される操作ガイダンスの例を示す第２の図である。
【図１５】本発明の第２の実施の形態における原稿搬送処理の動作を示す第１のフローチャートである。
【図１６】本発明の第２の実施の形態における原稿搬送処理の動作を示す第２のフローチャートである。
【図１７】本発明の第３の実施の形態におけるＲＡＭの構成を示す図である。
【図１８】本発明の第３の実施の形態におけるオペレータによる既読み取り原稿を含めた全原稿再セットによる読み飛ばし処理の動作を示すフローチャートである。
【図１９】本発明の第３の実施の形態における読み飛ばし終了後、ジャム発生原稿を読み取り位置まで給紙する際のジャムの監視処理の動作を示すフローチャートである。
【符号の説明】
【０１１６】
４３    読み取りページカウンタ
５０    読み取り制御部
５１１    原稿トレイ
５１２    原稿
５１３    原稿センサ
５１９    密着センサ
【図１】
2006033325.tif 000003
【図２】
2006033325.tif 000004
【図３】
2006033325.tif 000005
【図４】
2006033325.tif 000006
【図５】
2006033325.tif 000007
【図６】
2006033325.tif 000008
【図７】
2006033325.tif 000009
【図８】
2006033325.tif 000010
【図９】
2006033325.tif 000011
【図１０】
2006033325.tif 000012
【図１１】
2006033325.tif 000013
【図１２】
2006033325.tif 000014
【図１３】
2006033325.tif 000015
【図１４】
2006033325.tif 000016
【図１５】
2006033325.tif 000017
【図１６】
2006033325.tif 000018
【図１７】
2006033325.tif 000019
【図１８】
2006033325.tif 000020
【図１９】
2006033325.tif 000021